【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
操作手段と、
第１入賞領域に設けられ前記第１入賞領域を遊技媒体が通過したことを検出するための第１検出手段と、
第２入賞領域に設けられ前記第２入賞領域を遊技媒体が通過したことを検出するための第２検出手段と、
前記第１検出手段が遊技媒体の通過を検出した時点から第１監視期間を経過するまでに該第１検出手段が遊技媒体の通過を再度検出した回数を計数する第１計数手段と、
前記第２検出手段が遊技媒体の通過を検出した時点から第２監視期間を経過するまでに該第２検出手段が遊技媒体の通過を再度検出した回数を計数する第２計数手段と、
前記第１計数手段が計数した回数が所定回数となった場合に、エラーが発生したと判定する第１エラー判定手段と、
前記第２計数手段が計数した回数が所定回数となった場合に、エラーが発生したと判定する第２エラー判定手段と、
前記第１エラー判定手段または前記第２エラー判定手段によってエラーが発生したと判定された場合に、エラー情報を出力するエラー情報出力手段とを備え、
前記エラー情報出力手段は、
前記第１エラー判定手段と前記第２エラー判定手段とのいずれによってエラーが発生したと判定されたかに関わらず、共通の出力手段を用いて所定の出力期間にわたってエラー情報を出力し、
前記第１エラー判定手段の判定にもとづいてエラー情報を出力している出力期間内に前記第２エラー判定手段によってエラーが発生したと判定された場合には、該出力期間が経過し、さらに所定の待機期間が経過した後に前記共通の出力手段を用いて所定の出力期間にわたってエラー情報を出力するとともに、
前記第１エラー判定手段と前記第２エラー判定手段とのいずれによってエラーが発生したと判定されたかに関わらず、共通の出力期間にわたってエラー情報を出力し、
前記第１計数手段は、計数した回数が所定回数となったことにもとづいて前記第１エラー判定手段によってエラーが発生したと判定された場合には、計数した回数を初期化する
ことを特徴とする遊技機。
【手続補正２】
【補正対象書類名】明細書
【補正対象項目名】００１０
【補正方法】変更
【補正の内容】
【００１０】
（手段１）本発明による遊技機は、操作手段（例えば、操作ボタン１２０）と、第１入賞領域（例えば、始動入賞口や大入賞口、入賞口、ゲート３２）に設けられ第１入賞領域を遊技媒体が通過したことを検出するための第１検出手段（例えば、始動口スイッチ１４ａやカウントスイッチ２３、入賞口スイッチ２９ａ，３０ａ、ゲートスイッチ３２ａ）と、第２入賞領域（例えば、始動入賞口や大入賞口、入賞口、ゲート３２）に設けられ第２入賞領域を遊技媒体が通過したことを検出するための第２検出手段（例えば、始動口スイッチ１４ａやカウントスイッチ２３、入賞口スイッチ２９ａ，３０ａ、ゲートスイッチ３２ａ）と、第１検出手段が遊技媒体の通過を検出した時点から第１監視期間（図１５に示す監視期間）を経過するまでに該第１検出手段が遊技媒体の通過を再度検出した回数を計数する第１計数手段（例えば、ＣＰＵ５６によって始動口スイッチ判定処理（ステップＳ２５９ａ）のステップＳ２５０７，Ｓ２５０８の処理が実行される部分）と、第２検出手段が遊技媒体の通過を検出した時点から第２監視期間（図１５に示す監視期間）を経過するまでに該第２検出手段が遊技媒体の通過を再度検出した回数を計数する第２計数手段（例えば、ＣＰＵ５６によって入賞口スイッチ判定処理（ステップＳ２５９ｂ）において始動口スイッチ判定処理（ステップＳ２５９ａ）のステップＳ２５０７，Ｓ２５０８に相当する処理が実行され部分）と、第１計数手段が計数した回数が所定回数となった場合に、エラーが発生したと判定する第１エラー判定手段（例えば、ＣＰＵ５６によって始動口スイッチ判定処理（ステップＳ２５９ａ）のステップＳ２５１１，Ｓ２５１２の処理が実行される部分）と、第２計数手段が計数した回数が所定回数となった場合に、エラーが発生したと判定する第２エラー判定手段（例えば、ＣＰＵ５６によって入賞口スイッチ判定処理（ステップＳ２５９ｂ）において始動口スイッチ判定処理（ステップＳ２５９ａ）のステップＳ２５１１，Ｓ２５１２に相当する処理が実行される部分）と、第１エラー判定手段または第２エラー判定手段によってエラーが発生したと判定された場合に、エラー情報（セキュリティ信号）を出力するエラー情報出力手段（例えば、ＣＰＵ５６によって情報出力処理のステップＳ１００４〜Ｓ１０１５の処理が実行される部分）とを備え、エラー情報出力手段は、第１エラー判定手段と第２エラー判定手段とのいずれによってエラーが発生したと判定されたかに関わらず、共通の出力手段（例えば、ターミナル基板１６０に設けられたコネクタＣＮ８）を用いて所定の出力期間（例えば、０．２秒）にわたってエラー情報を出力し、第１エラー判定手段の判定にもとづいてエラー情報を出力している出力期間内に第２エラー判定手段によってエラーが発生したと判定された場合には、該出力期間が経過し、さらに所定の待機期間が経過した後に共通の出力手段を用いて所定の出力期間にわたってエラー情報を出力するとともに（例えば、ＣＰＵ５６によって情報出力処理のステップＳ１００４〜Ｓ１０１５の処理が実行される部分）、第１エラー判定手段と第２エラー判定手段とのいずれによってエラーが発生したと判定されたかに関わらず、共通の出力期間にわたってエラー情報を出力し、第１計数手段は、計数した回数が所定回数となったことにもとづいて第１エラー判定手段によってエラーが発生したと判定された場合には、計数した回数を初期化する（例えば、ＣＰＵ５６によってステップＳ２５１３の処理が実行される部分）ことを特徴とする。
そのような構成により、エラー情報を出力しているときに新たにエラーが発生した場合にも、新たにエラーが発生したことにもとづくエラー情報を共通の出力手段を用いて出力することができる。また、そのような構成によれば、出力期間が共通であるのでエラー情報を出力するための処理を共通化することができる。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】変更
【補正の内容】
【００１３】
（手段４）手段３において、エラー情報出力手段は、連続検出エラー情報出力手段が共通の出力手段を用いて連続検出エラー情報を出力している特定期間内に第１エラー判定手段または第２エラー判定手段によってエラーが発生したと判定された場合には、該特定期間が経過し、さらに特定待機期間が経過した後に共通の出力手段を用いてエラー情報を出力し、連続検出エラー情報出力手段は、エラー情報出力手段が共通の出力手段を用いてエラー情報を出力している出力期間内に連続検出エラー判定手段によって連続検出エラーが発生したと判定された場合には、該出力期間が経過し、さらに特定待機期間が経過した後に共通の出力手段を用いて連続検出エラー情報を出力する（例えば、ＣＰＵ５６によって入賞口スイッチ判定処理において始動口スイッチ判定処理のステップＳ２５０２〜Ｓ２５０６に相当する処理が実行される部分：図２０（Ａ）参照）ように構成されていてもよい。
そのような構成によれば、連続検出エラー情報出力手段が連続検出エラー情報を出力している特定期間内に第１エラー判定手段または第２エラー判定手段によってエラーが発生したと判定された場合、またはエラー情報出力手段がエラー情報を出力している出力期間内に連続検出エラー判定手段によって連続検出エラーが発生したと判定された場合であっても、共通の出力手段を用いてエラー情報または連続検出エラー情報を出力することができる。